(57)【要約】【課題】  外出予定を事前に登録することなく携行すべき携帯物品の不足または充足に係る情報を表示する装置を提供する。【解決手段】  外出する際に無線タグ読み取り部１０７が無線タグ２からタグＩＤを読み取り、用事ＩＤ予測部１０９が読み取ったタグＩＤの組み合わせから外出する用事を予測し、タグＩＤ照合部１０８が読み取ったタグＩＤから個人を特定し、さらにタグＩＤ照合部１０８が予測した用事と特定した個人に対応付けて登録されているタグＩＤをタグＩＤ登録部１０１から抽出し、抽出したレコードと読み取ったタグＩＤとを比較することで携行すべき携帯物品の不足または充足に係る判定を行い、判定情報を表示部１０４と音声入出力部１０６に表示する。【選択図】    図１
2017054382.tif 000002
【特許請求の範囲】
【請求項１】
携帯すべき物品に係る情報を表示する装置であって、
携帯して外出する所定の携帯物品に装着されている無線タグからタグＩＤを読み取る無線タグ読取手段と、前記タグＩＤと当該無線タグを携帯する個人を識別する個人ＩＤと当該無線タグを携帯して外出する際の用事を識別する用事ＩＤを対応付けて登録するタグＩＤ登録手段と、外出する際に前記用事ＩＤの指定を受付ける用事ＩＤ指定手段と、外出する際に前記無線タグ読取手段が読み取ったタグＩＤから前記1以上の用事ＩＤを予測する用事ＩＤ予測手段と、前記携帯物品に係る情報を表示する表示手段と、を有し、
前記用事ＩＤ予測手段により前記用事ＩＤ指定手段が１以上の用事ＩＤの指定を受付けた場合に、前記無線タグ読取手段が読取ったタグＩＤと前記指定された用事ＩＤに対応して登録されている１以上のタグＩＤを照合し、前記表示手段は、携帯すべき携帯物品の不足または充足に係る情報を表示することを特徴とする携帯物品情報表示装置。
【請求項２】
請求項１に記載の装置において、
前記用事ＩＤと伝言メッセージを対応付けて予め登録し、前記登録されている伝言メッセージのいずれかを表示する伝言メッセージ登録表示手段をさらに有し、
前記用事ＩＤ指定手段が１以上の用事ＩＤの指定を受付けた場合に、前記指定された用事ＩＤに対応して登録されている伝言メッセージを選択することを特徴とする携帯物品情報表示装置。
【発明の詳細な説明】
【技術分野】
【０００１】
本発明は、携帯すべき物品に係る情報を表示する装置に関する。
【背景技術】
【０００２】
外出する際には携帯電話機や財布など、携行するべきものが多々あるが、これらの１つあるいはいくつかを携行することなく外出してしまうことがよくある。このような忘れ物を防止するための技術として、現在時刻からスケジュール機能に登録された予定情報を特定し、予定情報に関連付けて登録された携行すべき物品の識別情報と近接する物品の識別情報とを比較する事で、携行物品の忘れ物を検知する技術が開示されている（例えば、特許文献１）。
【０００３】
しかしながら、特許文献１のようにスケジュール機能を用いて忘れ物検知を行う場合、事前に予定と時刻をスケジュールに登録する手間があり、またスケジュールに登録していない予定外の外出には対応できないという問題がある。
【先行技術文献】
【特許文献】
【０００４】
【特許文献１】特開２０１０−７２６７７号公報
【発明の概要】
【発明が解決しようとする課題】
【０００５】
本発明は、上記のような問題を解決するためになされたもので、外出予定を事前に登録することなく携行すべき携帯物品の不足または充足に係る情報を表示する装置を提供することを目的としている。
【課題を解決するための手段】
【０００６】
上記課題を解決するために、本発明は、携帯すべき物品に係る情報を表示する装置であって、携帯して外出する所定の携帯物品に装着されている無線タグからタグＩＤを読み取る無線タグ読取手段と、前記タグＩＤと当該無線タグを携帯する個人を識別する個人ＩＤと当該無線タグを携帯して外出する際の用事を識別する用事ＩＤを対応付けて登録するタグＩＤ登録手段と、外出する際に前記用事ＩＤの指定を受付ける用事ＩＤ指定手段と、外出する際に前記無線タグ読取手段が読み取ったタグＩＤから前記１以上の用事ＩＤを予測する用事ＩＤ予測手段と、前記携帯物品に係る情報を表示する表示手段と、を有し、前記用事ＩＤ予測手段により前記用事ＩＤ指定手段が１以上の用事ＩＤの指定を受付けた場合に、前記無線タグ読取手段が読取ったタグＩＤと前記指定された用事ＩＤに対応して登録されている１以上のタグＩＤを照合し、前記表示手段は、携帯すべき携帯物品の不足または充足に係る情報を表示することを特徴とする。
【発明の効果】
【０００７】
本発明によれば、携帯している物品から外出する際の用事を特定することで、外出予定を事前に登録することなく携行すべき携帯物品の不足または充足に係る情報を表示する装置を提供できる。
【図面の簡単な説明】
【０００８】
【図１】本発明の実施形態に係る携帯物品情報表示装置のブロック構成図である。
【図２】本発明の実施形態に係る携帯物品情報表示装置の動作フローチャート図である。
【図３】本発明の実施形態における、用事ＩＤ予測処理に係る動作フローチャート図である。
【図４】本発明の実施形態における、物品管理テーブル４の例示図である。
【図５】本発明の実施形態における、伝言メッセージテーブル５の例示図である。
【発明を実施するための形態】
【０００９】
以下、本発明の実施の形態について、図を用いて説明する。図１は、本発明の実施形態に係る携帯物品情報表示装置のブロック構成図である。
【００１０】
本実施形態において、携帯物品情報表示装置１は、タグＩＤ登録部１０１と、伝言メッセージ登録部１０２と、制御部１０３と、表示部１０４と、操作部１０５と、音声入出力部１０６と、無線タグ読み取り部１０７と、タグＩＤ照合部１０８と、用事ＩＤ予測部１０９から構成され、無線タグ２を携帯物品情報表示装置１が読み取る。無線タグ２は、パッシブ型無線タグを想定し、タグＩＤとして固有のＩＤ情報が書き込まれているものとして説明する。
【００１１】
タグＩＤ登録部１０１は、無線タグ２に書き込まれたタグＩＤを物品管理テーブル４に登録する。当該タグＩＤは、登録作業により予め登録し、登録内容は無線タグ２から読み取ったタグＩＤと、携帯する個人を識別する個人ＩＤと、無線タグ２を取り付ける物品名と、外出する際の用事を識別する用事ＩＤを登録する。
【００１２】
伝言メッセージ登録部１０２は、伝言メッセージを登録する。当該伝言メッセージは、タグＩＤ照合部１０８が携帯すべき携帯物品の不足または充足を判定する忘れ物検知を行った際に登録され、登録内容は伝言メッセージテーブル５から前記忘れ物検知により特定された用事ＩＤに対応した伝言メッセージを登録する。
本実施形態においては、伝言メッセージテーブル５に予め用意された伝言メッセージを登録しているが、任意の伝言メッセージを登録するようにしてもよい。
【００１３】
制御部１０３は、前記忘れ物検知の処理や伝言メッセージ登録部１０２に登録された伝言メッセージの表示処理などの各部の制御を行う。
【００１４】
表示部１０４は、数値、文字、画像などを表示可能な表示装置であり、前記忘れ物検知の結果や前記登録された伝言メッセージなどの各情報を表示するためのユーザーインターフェースである。
【００１５】
操作部１０５は、携帯物品情報表示装置１を操作するためのユーザーインターフェースである。
【００１６】
音声入出力部１０６は、マイクとスピーカからなる音声入出力装置であり、前記忘れ物検知の結果や前記登録された伝言メッセージなどの各情報を表示するためのユーザーインターフェースである。本実施形態において、音声入出力部１０６は携帯物品情報表示装置１に内蔵されているが、外部インターフェース（図示せず）を介して携帯物品情報表示装置１と接続する一般的な外部音声入出力装置であってもよい。また、マイクとスピーカはそれぞれ独立した装置であってもよい。
【００１７】
無線タグ読み取り部１０７は、無線タグ２からタグＩＤを読み取るもので、制御部１０３の指示に応答して起動し、読み取ったタグＩＤを制御部１０３へ出力する。
【００１８】
タグＩＤ照合部１０８は、無線タグ２から読み取ったタグＩＤと物品管理テーブル４に登録されているタグＩＤを比較し、携帯する個人を識別する個人ＩＤの特定を行う。
また用事ＩＤ予測部１０９が特定した用事ＩＤと、前記特定した個人ＩＤと、前記タグＩＤの比較結果から、携行物品の不足または充足の判定を行う。
【００１９】
用事ＩＤ予測部１０９は、無線タグ２から読み取ったタグＩＤの組み合わせと物品管理テーブル４に登録されているタグＩＤを比較し、外出する際の用事を識別する用事ＩＤの予測と特定を行う。
【００２０】
図２は、本発明の実施形態に係る携帯物品情報表示装置の動作フローチャート図である。以下、図１、図４、図５を併用して本フローチャートを説明する。
【００２１】
本フローチャートは、携帯物品情報表示装置１の電源を投入することによりスタートする。まず、タグＩＤ登録操作を検知したか否か（Ｓ２０１）、伝言メッセージ表示操作を検知したか否か（Ｓ２０２）、忘れ物検知操作を検知したか否か（Ｓ２０３）を繰り返し、これを待機状態とする（Ｓ２０１、ＮＯ）（Ｓ２０２、ＮＯ）（Ｓ２０３、ＮＯ）。
【００２２】
操作部１０５からタグＩＤ登録操作を検知した場合、（Ｓ２０１、ＹＥＳ）、無線タグ読み取り部１０７の起動を指示し、無線タグ２から読み取ったタグＩＤを物品管理テーブル４のタグＩＤ４０２に登録する（Ｓ２０４）。また読み取ったタグＩＤに対応する情報として、個人を識別する個人ＩＤを個人ＩＤ４０１に、無線タグ２を取り付ける物品名を物品名４０３に、用事を識別する用事ＩＤを用事ＩＤ４０４に登録し（Ｓ２０７）（Ｓ２０８）（Ｓ２０９）、待機状態のループに復帰する。
【００２３】
操作部１０５から伝言メッセージ表示操作を検知した場合、（Ｓ２０２、ＹＥＳ）、伝言メッセージ登録部１０２に登録された伝言メッセージを、表示部１０４と音声入出力部１０６に表示し（Ｓ２０５）、待機状態のループに復帰する。
【００２４】
操作部１０５から忘れ物検知操作を検知した場合（Ｓ２０３、ＹＥＳ）、無線タグ読み取り部１０７に起動を指示し、１以上の無線タグ２からタグＩＤを読み出す（Ｓ２０６）。
【００２５】
次に、用事ＩＤ予測処理（詳細な処理内容は後述する）を行う（Ｓ２１０）。
【００２６】
次に、タグＩＤ照合部１０８が無線タグ２から読み取ったタグＩＤに対応付けて登録されている個人ＩＤ４０１と同じ個人ＩＤ４０１を持ち、かつ用事ＩＤ予測処理Ｓ２１０で特定した１以上の用事ＩＤ４０４を持つ全てのレコードを、物品管理テーブル４から抽出する（Ｓ２１１）
【００２７】
次に、タグＩＤ照合部１０８が無線タグ２から読み取った１以上のタグＩＤとＳ２１１で抽出した全てのレコードを照合した結果、読み取ったタグＩＤに不足があるか判定する（Ｓ２１２）。
【００２８】
読み取ったタグＩＤに不足が無い場合は（Ｓ２１２、ＮＯ）、忘れ物が無い旨を表示部１０４と音声入出力部１０６に表示し（Ｓ２１３）、Ｓ２１９へ進む。
【００２９】
読み取ったタグＩＤに不足がある場合は（Ｓ２１２、ＹＥＳ）、不足しているタグＩＤに対応付けて登録されている物品名４０３を、忘れ物として表示部１０４と音声入出力部１０６に表示し（Ｓ２１４）、制御部１０３が備えるタイマ（図示しない）を起動する（Ｓ２１５）。
【００３０】
次に、Ｓ２１５で起動したタイマが満了したか否かを判定し（Ｓ２１６）、タイムアウトしていない場合はＳ２１７へ進み（Ｓ２１６、ＮＯ）、タイムアウトしたならばＳ２１９へ進む（Ｓ２１６、ＹＥＳ）。
【００３１】
次に、操作部１０５から終了する旨の操作を検知したか否かを判定し（Ｓ２１７）、終了する旨の操作を検知しなかった場合はＳ２１８へ進み（Ｓ２１７、ＮＯ）、終了する旨の操作を検知した場合はＳ２１９へ進む（Ｓ２１７、ＹＥＳ）。
【００３２】
次に、操作部１０５から忘れ物を再チェックする旨の操作を検知したか否かを判定し（Ｓ２１８）、忘れ物を再チェックする旨の操作を検知しなかった場合はＳ２１６へ進み（Ｓ２１８、ＮＯ）、忘れ物を再チェックする旨の操作を検知した場合はＳ２０６へ進む（Ｓ２１８、ＹＥＳ）。
【００３３】
最後に、用事ＩＤ予測処理Ｓ２１０で特定した１以上の用事ＩＤ５０１に対応して登録されている伝言メッセージ５０２を伝言メッセージテーブル５から選択し、伝言メッセージ登録部１０２に登録し（Ｓ２１９）、待機状態のループに復帰する。
【００３４】
図３は、本発明の実施形態における、用事ＩＤ予測処理に係る動作フローチャート図である。以下、図１、図４を併用して本フローチャートを説明する。
【００３５】
本フローチャートは、用事ＩＤ予測処理Ｓ２１０へ遷移することによりスタートする。まず、用事ＩＤ予測部１０９が無線タグ２から読み取ったタグＩＤの組み合わせと物品管理テーブル４を照合し、少なくとも読み取った全てのタグＩＤを持つ用事ＩＤ４０４を抽出する（Ｓ３０１）。
【００３６】
次に、用事ＩＤ予測部１０９がＳ３０１で抽出した用事ＩＤ４０４から用事が特定できたか否かの判定を行う（Ｓ３０２）。
用事が特定できない場合は、Ｓ３０３へ進み（Ｓ３０２、ＮＯ）、用事が特定できた場合は、用事ＩＤ予測処理Ｓ２１０を終了する（Ｓ３０２、ＹＥＳ）。
【００３７】
用事ＩＤ予測部１０９が無線タグ２から読み取ったタグＩＤの組み合わせと、物品管理テーブル４を照合し、一致するタグＩＤ４０２の数が多い順にn個の用事ＩＤ４０４を抽出する（Ｓ３０３）。
【００３８】
次に、表示部１０４と音声入出力部１０６に選択された用事ＩＤ４０４の一覧を表示し、同時に１以上の用事ＩＤを操作部１０５から選択するように促すメッセージを表示し（Ｓ３０４）、制御部１０３が備えるタイマ（図示しない）を起動する（Ｓ３０５）。
【００３９】
次に操作部１０５から用事ＩＤを選択する操作を検知したか否かを判定する（Ｓ３０６）。
【００４０】
用事ＩＤを選択する操作を検知した場合は（Ｓ３０６、ＹＥＳ）、選択された用事ＩＤにより用事を特定し、用事ＩＤ予測処理Ｓ２１０を終了する（Ｓ３０８）。
【００４１】
用事ＩＤを選択する操作を検知しなかった場合は（Ｓ３０６、ＮＯ）、Ｓ３０５で起動したタイマが満了したか否かを判定し（Ｓ３０７）、タイムアウトしていない場合はＳ３０６へ進み（Ｓ３０７、ＮＯ）、タイムアウトしたならばＳ３０９へ進む（Ｓ３０７、ＹＥＳ）。
【００４２】
表示部１０４と音声入出力部１０６に表示した全ての用事ＩＤを選択し、選択した用事ＩＤにより用事を特定し、用事ＩＤ予測処理Ｓ２１０を終了する（Ｓ３０９）。
【００４３】
図４は、本発明の実施形態における、物品管理テーブル４の例示図である。
【００４４】
物品管理テーブル４は、タグＩＤ登録部１０１の内部に保存され、個人ＩＤ４０１と、タグＩＤ４０２と、物品名４０３と、用事ＩＤ４０４とを有する。タグＩＤ４０２は無線タグ２から読み出したタグＩＤを登録したものであり、個人ＩＤ４０１と物品名４０３と用事ＩＤ４０４はタグＩＤ４０２に関連付けて登録される。用事ＩＤ４０４は、各用事に対して携行物品を携行すべきか否かを示しており、携行物品に装着した無線タグ２から読み出したタグＩＤと、用事ＩＤ４０４に対応して登録されている１以上のタグＩＤ４０２を照合することで、携帯すべき携帯物品の不足または充足に係る情報を表示する事が可能である。
【００４５】
図５は、本発明の実施形態における、伝言メッセージテーブル５の例示図である。
【００４６】
伝言メッセージテーブル５は、用事ＩＤ５０１と、伝言メッセージ５０２を有する。用事ＩＤ５０１は外出する際の用事を識別するものであり、物品管理テーブル４の用事ＩＤ４０４に対応している。伝言メッセージ５０２は用事ＩＤ５０１に対応付けて予め登録しておく伝言メッセージである。
【符号の説明】
【００４７】
１    ・・・携帯物品情報表示装置
１０１・・・タグＩＤ登録部
１０２・・・伝言メッセージ登録部
１０３・・・制御部
１０４・・・表示部
１０５・・・操作部
１０６・・・音声入出力部
１０７・・・無線タグ読み取り部
１０８・・・タグＩＤ照合部
１０９・・・用事ＩＤ予測部
２    ・・・無線タグ
【図１】
2017054382.tif 000003
【図２】
2017054382.tif 000004
【図３】
2017054382.tif 000005
【図４】
2017054382.tif 000006
【図５】
2017054382.tif 000007